(57)【要約】【課題】表面に溝があるバーを使用しても、ウエブの裏側へ塗布液が付着することを抑制できるバー塗布方法の提供。【解決手段】連続走行するウエブと塗布液との接触部の直前に上記塗布液の液溜まりを形成し、回転する円柱状の塗工用バーにより上記液溜まりから掻き上げた塗布液を上記ウエブに塗布する工程を含み、上記バーの表面に溝が形成されており、上記ウエブの幅方向外側において、上記塗布液の少なくとも一部を掻き落とすブレードが設けられており、上記ブレードにより上記塗布液を掻き落とす部分を含む幅方向外側の上記バーの表面の高さが、幅方向内側の上記バーの表面の高さよりも低いバー塗布方法。【選択図】図２
2018167197.tif 000002
【特許請求の範囲】
【請求項１】
連続走行するウエブと塗布液との接触部の直前に前記塗布液の液溜まりを形成し、回転する円柱状の塗工用バーにより前記液溜まりから掻き上げた塗布液を前記ウエブに塗布する工程を含み、
前記バーの表面に溝が形成されており、
前記ウエブの幅方向外側において、前記塗布液の少なくとも一部を掻き落とすブレードが設けられており、
前記ブレードにより前記塗布液を掻き落とす部分を含む幅方向外側の前記バーの表面の高さが、幅方向内側の前記バーの表面の高さよりも低い
バー塗布方法。
【請求項２】
前記ブレードの表面が、前記バーの軸に対して傾斜している、請求項１に記載のバー塗布方法。
【請求項３】
前記傾斜が、０．００１°〜３°である、請求項２に記載のバー塗布方法。
【請求項４】
前記傾斜が、０．０１°〜１°である、請求項２又は請求項３に記載のバー塗布方法。
【請求項５】
前記ウエブの搬送速度が、２００ｍ／分以上である、請求項１〜請求項４のいずれか１項に記載のバー塗布方法。
【請求項６】
前記バーの最表面の周速を前記ウエブの搬送速度で除した値が、０．１以上である、請求項１〜請求項５のいずれか１項に記載のバー塗布方法。
【請求項７】
前記バーが、前記バーの幅方向外側の両端部まで溝が形成されているバーである、請求項１〜請求項６のいずれか１項に記載のバー塗布方法。
【発明の詳細な説明】
【技術分野】
【０００１】
本開示は、バー塗布方法に関する。
【背景技術】
【０００２】
フィルム表面に機能層を積層する方法としては塗布、蒸着、スパッタリング、溶融ラミネート、貼合などがあり、その中でも塗布は常圧プロセスでロールトゥトール（Ｒｏｌｌ  ｔｏ  Ｒｏｌｌ）が可能なため生産性が高く、多くの機能性材料に対応可能であることから幅広く適用されている。塗布液の物性や要求品質に応じて様々な塗布方式（グラビア塗布、バー塗布、エクストルージョン塗布、スプレー塗布、ディップ塗布など）が提案されている。中でも、バー塗布は簡単な装置、操作により高速で薄層な塗布が実現可能であることから、広く用いられている。
【０００３】
一般に、バー塗布装置ではバーとウエブが接触する直前に塗工液の液だまりが形成されるように塗工液を外部より供給してウエブに過剰の塗工液を転移させ、ウエブと同方向もしくは逆方向に回転または静止するバーによりウエブに塗工された過剰の塗工液を掻き落とし、一定厚の塗工膜をウエブに形成する。
しかしながら、上記の塗工装置では、塗工液をウエブに過剰に塗工した場合に、塗工液の表面張力の作用により、ウエブの幅方向両端部に塗工液の厚塗り部分が発生するという問題があった。
このような従来の不具合を解消するものとしては、例えば、特許文献１に記載のように、上述のバー塗工装置にウエブとは離隔した位置に回転するバーの表面の一部に接触するブレードを設けることにより部分的に塗工量を調節する方法が開示されている。
【０００４】
また、従来のバー塗布方法としては、特許文献２に記載された方法が知られている。
特許文献２には、バー表面に螺旋状の溝が形成される円柱状の塗工用バーと、連続走行するウエブとの接触部の直前に塗布液の液溜まりを形成し、回転する塗工用バーにより上記液溜まりから掻き上げた塗布液を上記ウエブに塗布するバー塗布方法において、上記塗工用バーとして、上記バー表面のうち上記ウエブの両端である両耳部を含み、そこから外側に対応するバー表面に形成される溝の深さが上記両耳部内側に対応するバー表面に形成される溝の深さよりも浅いものを用いることを特徴とするバー塗布方法が開示されている。
【先行技術文献】
【特許文献】
【０００５】
【特許文献１】特開昭６０−２２５６６９号公報
【特許文献２】特開２００７−６１７０９号公報
【発明の概要】
【発明が解決しようとする課題】
【０００６】
特許文献１に記載されているような、両端部厚塗り防止方法では、表面に溝が無い平坦なバーの場合にはブレードで完全に液を掻き落とせるため厚塗り防止が可能であるが、表面に溝があるバーの場合には溝の液を掻き落とすことができない。
また、ウエブとバーとの間にはウエブ張力と液圧に応じて液膜が形成され、端部では液膜の厚み分のクリアランスがあるが、液膜が薄い条件ではウエブのたわみや表面凹凸により基材が溝の液と接触するとウエブに液が転写されてしまい、更に、液がウエブの裏面にまで移動し付着してしまうという問題があった。
【０００７】
本発明の一実施形態が解決しようとする課題は、表面に溝があるバーを使用しても、ウエブの裏側へ塗布液が付着することを抑制できるバー塗布方法を提供することである。
【課題を解決するための手段】
【０００８】
上記課題を解決するための手段には、以下の態様が含まれる。
＜１＞  連続走行するウエブと塗布液との接触部の直前に上記塗布液の液溜まりを形成し、回転する円柱状の塗工用バーにより上記液溜まりから掻き上げた塗布液を上記ウエブに塗布する工程を含み、
上記バーの表面に溝が形成されており、
上記ウエブの幅方向外側において、上記塗布液の少なくとも一部を掻き落とすブレードが設けられており、
上記ブレードにより上記塗布液を掻き落とす部分を含む幅方向外側の上記バーの表面の高さが、幅方向内側の上記バーの表面の高さよりも低い
バー塗布方法。
＜２＞  上記ブレードの表面が、上記バーの軸に対して傾斜している、上記＜１＞に記載のバー塗布方法。
＜３＞  上記傾斜が、０．００１°〜３°である、上記＜２＞に記載のバー塗布方法。
＜４＞  上記傾斜が、０．０１°〜１°である、上記＜２＞又は＜３＞に記載のバー塗布方法。
＜５＞  上記ウエブの搬送速度が、２００ｍ／分以上である、上記＜１＞〜＜４＞のいずれか１つに記載のバー塗布方法。
＜６＞  上記バーの最表面の周速を上記ウエブの搬送速度で除した値が、０．１以上である、上記＜１＞〜＜５＞のいずれか１つに記載のバー塗布方法。
＜７＞  上記バーが、上記バーの幅方向外側の両端部まで溝が形成されているバーである、上記＜１＞〜＜６＞のいずれか１つに記載のバー塗布方法。
【発明の効果】
【０００９】
本発明の一実施形態によれば、表面に溝があるバーを使用しても、ウエブの裏側へ塗布液が付着することを抑制できるバー塗布方法を提供することができる。
【図面の簡単な説明】
【００１０】
【図１】本開示に係るバー塗布方法の一例を示すバーの幅方向外側近傍における部分拡大断面図である。
【図２】本開示に係るバー塗布方法の他の一例を示すバーの幅方向外側近傍における部分拡大断面図である。
【図３】従来のバー塗布方法の一例を示すバーの幅方向外側近傍における部分拡大断面図である。
【発明を実施するための形態】
【００１１】
以下、本開示について詳細に説明する。
なお、本明細書中、「ｘｘ〜ｙｙ」の記載は、ｘｘ及びｙｙを含む数値範囲を表す。
また、本明細書中の「工程」の用語は、独立した工程だけではなく、他の工程と明確に区別できない場合であっても、その工程の所期の目的が達成されれば本用語に含まれる。
また、本開示において、「質量％」と「重量％」とは同義であり、「質量部」と「重量部」とは同義である。
また、本開示において、２以上の好ましい態様の組み合わせは、より好ましい態様である。
【００１２】
（バー塗布方法）
本開示に係るバー塗布方法は、連続走行するウエブと塗布液との接触部の直前に上記塗布液の液溜まりを形成し、回転する円柱状の塗工用バーにより上記液溜まりから掻き上げた塗布液を上記ウエブに塗布する工程を含み、上記バーの表面に溝が形成されており、上記ウエブの幅方向外側において、上記塗布液の少なくとも一部を掻き落とすブレードが設けられており、上記ブレードにより上記塗布液を掻き落とす部分を含む幅方向外側の上記バーの表面の高さが、幅方向内側の上記バーの表面の高さよりも低い。
【００１３】
本発明者らが詳細な検討を行った結果、上記バー塗布方法とすることにより、表面に溝があるバーを使用しても、ウエブの裏側へ塗布液が付着することを抑制できることを見出した。
表面に溝を有するバーにより塗布を行う場合、バーの幅方向端部において、ブレードにより塗布液を掻き落としても、バーの溝の部分の塗布液は掻き落とせず、ウエブに塗布される。基材端部にまで塗布液が付着すると、ウエブの端部より塗布液がウエブの裏面に付着してしまう、いわゆる、裏回りが発生してしまうことを本発明者らは見出した。
上記ブレードにより上記塗布液を掻き落とす部分を含む幅方向外側の上記バーの表面の高さを、幅方向内側の上記バーの表面の高さよりも低くすることにより、ブレードより掻き落とす部分の溝形状の高さ（表面の位置）を有効塗布部より低くし、ブレードにより掻き落とす部分におけるウエブへの塗布液の付着を抑制でき、裏回りの発生が抑制できると推定している。
【００１４】
なお、特許文献１に記載された発明は、バー表面形状（溝形状）に関する記載がなく、実施例（ワイヤーバー）から溝形状は全幅で均一と推定される。ブレード表面とバー軸の角度に関する記載もなく、溝形状が均一と推定されることからブレード表面とバー軸は平行と推定される。
また、特許文献２には、耳部のバー径が耳内部のバー径より小さいとの記載があるが、ブレードで耳部を掻き落とす方式ではなく、耳部のウエブが溝表面に沿って変形（たわむ）することを前提としている。この方式では、基材のたわみ量が小さい場合には、かえって端部が厚塗りになってしまい、裏回りが発生すると推定される。
【００１５】
また、本開示に係るバー塗布方法において、上記ブレードの表面が、上記バーの軸に対して傾斜している態様であると、ウエブの裏側へ塗布液が付着することをより抑制できる。ブレード表面をバーの軸に対して並行に設置する場合には高精度にブレードの位置調整を行う必要となるが、バーの軸に対してブレード先端を傾斜をつけて設置することにより位置調整を簡易にし、また、ウエブ上の塗布液の残留量をより減少させ、裏回りの発生がより抑制できると推定している。
【００１６】
＜バー＞
本開示に用いられる塗工用バー（単に「バー」ともいう。）は、円柱状のバーであり、バーの表面に溝が形成されているものである。
また、上記バーは、上記ブレードにより上記塗布液を掻き落とす部分を含む幅方向外側の上記バーの表面の高さ（バーの軸中心からの距離）が、幅方向内側の上記バーの表面の高さよりも低い。
本開示におけるバーの「幅方向外側」とは、バーの幅方向（バーの軸方向と同じ方向）において、幅方向の端部及びその近傍であり、少なくとも上記ブレードにより上記塗布液を掻き落とす部分を含む部分をいう。また、本開示におけるバーの「幅方向内側」とは、上記幅方向外側以外のバーの幅方向中央部をいう。
【００１７】
バー表面に形成された溝の形状は、特に制限はないが、バー表面に螺旋状に溝が形成されていることが好ましい。溝が螺旋状であると、巾の広いバーも連続的に安価に加工することができる。
また、バー表面の幅方向における２つの溝間の間隔は、一定の間隔（各間隔の違いが、プラスマイナス１ｍｍ以下）であることが好ましい。溝間の間隔には、特に制限はないが、間隔が狭いと高精度に溝加工することが困難であり、一方で間隔が広いと溝形状によって形成される塗布膜の凹凸が視認されやすくなるため、０．０１ｍｍ以上１ｍｍ以下であることが好ましく、０．０３ｍｍ以上０．５ｍｍ以下であることがより好ましく、０．０５ｍｍ以上０．２ｍｍ以下であることが更に好ましい。
バー表面に溝を形成したバーとしては、特に制限はないが、バー表面にワイヤーを巻き付けて形成したワイヤーバーや、転造によりバー表面に溝を転写した転造バーが好ましく挙げられる。転造バーでは、転造時の圧力を調整することで溝形状（深さ）を段階的に変えることができ、ワイヤーバーでは径が異なるワイヤーを巻き付けることで溝形状を段階的に変えることできる。また、溝表面を研磨することによっても、局所的にバー径を調整することも可能である。
バーの最大直径、好ましくはバーの幅方向内側における最大直径は、塗布するウエブや塗布装置の大きさ、ウエブの搬送速度などに応じて、適宜設定すればよいが、塗布性の観点から、１ｍｍ以上５０ｍｍ以下であることが好ましく、２ｍｍ以上４０ｍｍ以下であることがより好ましく、５ｍｍ以上３０ｍｍ以下であることが更に好ましい。
【００１８】
なお、本開示に用いられるバーは、幅方向外側の両端部（「耳部」ともいう。）と、幅方向内側の中央部とで、直径が異なっており、幅方向外側の両端部が、幅方向内側の中央部よりも直径が小さくなる。
また、バーの幅は、特に制限はなく、塗布するウエブの幅に応じて、適宜設定することができる。
上記バーにおける幅方向内側の中央部より表面の高さが低くなっている幅方向外側の両端部の幅は、特に制限はなく、バー全体の幅との関係及びブレードの大きさにも関連するが、裏回り抑制の観点から、バーの幅方向端部より５ｍｍまでの部分が少なくとも中央部より表面の高さが低くなっていることが好ましく、バーの幅方向端部より７ｍｍまでの部分が少なくとも中央部より表面の高さが低くなっていることがより好ましく、バーの幅方向端部より１０ｍｍまでの部分が少なくとも中央部より表面の高さが低くなっていることが更に好ましい。
また、本開示に用いられるバーは、裏回り抑制、及び、バー及びブレードの耐久性の観点から、上記バーの幅方向外側の両端部まで溝が形成されているバーであることが好ましく、上記溝の深さが上記バーの幅方向外側に向かうにつれて徐々に浅くなっているバーであることがより好ましい。
【００１９】
本開示に係るバー塗布方法は、回転する円柱状の塗工用バーにより上記液溜まりから掻き上げた塗布液を上記ウエブに塗布する。
上記バーの回転は、ウエブの傷付きを抑制するために、ウエブの搬送方向と順方向に回転させ、一次側（ウエブの搬送方向の上流側）からブレードでウエブの幅方向外側の塗布液の少なくとも一部を掻き落とすことが好ましい。
ウエブの傷付き防止の観点から、周速比（上記バーの最表面の周速を上記ウエブの搬送速度で除した値（＝上記バーの最表面の周速／上記ウエブの搬送速度））は、０．０５以上であることが好ましく、０．１以上であることがより好ましい。また、上記周速比は、塗布液の掻き上げ量が適度であり、一次側液溜まり（ビード）の圧力が高くなって塗布液がウエブ幅方向に引き伸ばされウエブとブレードとの間に塗布液が流れることを抑制し、裏回りをより抑制する観点から、１．０以下であることが好ましく、０．６以下であることがより好ましく、０．４以下であることが更に好ましい。
なお、本開示における「バーの最表面の周速」は、回転しているバーの最大半径位置（最表面）における速さである。
【００２０】
上記バーの回転速度は、裏回り抑制の観点から、上記バーの最表面の周速として、１ｍ／分〜４００ｍ／分であることが好ましく、５ｍ／分〜３００ｍ／分であることがより好ましく、１０ｍ／分〜２４０ｍ／分であることが更に好ましく、２０ｍ／分〜１８０ｍ／分であることが特に好ましい。
また、上記バーの最表面の周速は、裏回り抑制の観点から、ウエブの搬送速度未満であることが好ましい。
【００２１】
＜ブレード＞
本開示に係るバー塗布方法においては、上記ウエブの幅方向外側において、上記塗布液の少なくとも一部を掻き落とすブレードが設けられている。すなわち、上記ウエブの幅方向の両端部にそれぞれ、ブレードが設けられている。
本開示における上記に示す特定形状のバー、及び、上記ウエブの幅方向の両端部のブレードを用いることにより、これらが協奏的に作用し、表面に溝があるバーを使用しても、ウエブの裏側へ塗布液が付着することを抑制できる。
【００２２】
ブレードの材質は、バー表面を傷付けないように樹脂製であることが好ましく、例えば高密度ポリエチレンやポリテトラフルオロエチレン、ＭＣ（モノキャスト）ナイロンなどを用いることができる。
ブレードの幅、及び、大きさは、特に制限はなく、塗布するウエブや塗布装置の大きさ、ウエブの搬送速度などに応じて、適宜設定すればよい。
【００２３】
ブレードは、裏回り抑制の観点から、上記バーと少なくとも一部が接触していることが好ましく、上記バーの幅方向外側において上記バーと少なくとも一部が接触していることがより好ましい。
また、ブレードは、塗布液の掻き落とし性及び強度の観点から、ブレードにおけるバーと接触する面が平面であることが好ましい。
【００２４】
また、上記ブレードの表面は、裏回り抑制の観点から、上記バーの軸に対して傾斜していることが好ましく、上記バーの軸に対してバーの幅方向内側から外側に向けて傾斜していることがより好ましい。
上記バーの軸に対する上記ブレードの表面の傾斜は、裏回り抑制の観点から、０．００１°〜３°であることが好ましく、０．００５°〜２°であることがより好ましく、０．０１°〜１°であることが特に好ましい。
【００２５】
以下に、図面を参照し、本開示に係るバー塗布方法について、更に説明する。
図１は、本開示に係るバー塗布方法の一例を示すバーの幅方向外側近傍における部分拡大断面図である。
図１に示すバー１２は、バーの幅方向外側１２ａにおいて、バーの幅方向内側１２ｂと比較し、溝の深さが浅くなっており、また、溝間の凸部の高さ（バー表面の高さ）が低くなっている。また、ブレード１４は、バーの幅方向内側１２ｂにおけるバー１２の高さよりも低い位置でバーの幅方向外側１２ａにおいて、バー１２と接触している。
また、上記態様であるため、バーの幅方向外側１２ａにおいて、バー１２の表面に残留する塗布液１６の量が減少している。ブレード１４のないバーの幅方向内側１２ｂにおいては、塗布液が十分バー１２に付着し、ウエブ（不図示）に塗布される。
【００２６】
また、図２は、本開示に係るバー塗布方法の他の一例を示すバーの幅方向外側近傍における部分拡大断面図である。
図２に示すバー１２は、バーの幅方向外側１２ａにおいて、バーの幅方向内側１２ｂと比較し、溝の深さが幅方向外側に向かうにつれて徐々に浅くなっており、また、溝間の凸部の高さ（バー表面の高さ）が幅方向外側に向かうにつれて徐々に低くなっている。また、ブレード１４は、バー１２の軸に対して傾斜しており、バーの幅方向外側１２ａに向うにつれ、バーの幅方向内側１２ｂにおけるバー１２の高さよりも低い位置でバー１２と接触している。
また、上記態様であるため、バーの幅方向外側１２ａにおいて、バー１２の表面に残留する塗布液１６の量が減少している。ブレード１４のないバーの幅方向内側１２ｂにおいては、塗布液が十分バー１２に付着し、ウエブ（不図示）に塗布される。
【００２７】
一方、図３は、従来の開示に係るバー塗布方法の一例を示すバーの幅方向外側近傍における部分拡大断面図である。
図３に示すバー１２は、一定の深さの溝が一様に形成されている。また、ブレード１４は、バーの幅方向内側におけるバー１２の高さと同じ高さでバーの幅方向外側において、バー１２と接触しており、バー１２の表面に残留する塗布液１６の量が多く、塗布液の裏回りの要因となると推定している。
【００２８】
＜ウエブ＞
本開示に係るバー塗布方法は、連続走行するウエブと塗布液との接触部の直前に上記塗布液の液溜まりを形成し、回転する円柱状の塗工用バーにより上記液溜まりから掻き上げた塗布液を上記ウエブに塗布する工程を含む。
本開示に用いられるウエブは、特に制限はなく、所望のウエブ（基材）を用いることができる。
上記ウエブの幅、長さ及び厚さについても、特に制限はなく、所望に応じて、適宜選択すればよい。一例としては、幅０．１ｍ〜５ｍ、長さ４５ｍ〜１０，０００ｍ、厚さ５μｍ〜３００μｍのウエブが挙げられる。
【００２９】
ウエブの材質についても、塗布可能であれば、特に制限はないが、例えば、ポリエチレンテレフタレート、ポリエチレン−２，６−ナフタレート、セルロースダイアセテート、セルローストリアセテート、セルロースアセテートプロピオネート、ポリ塩化ビニル、ポリ塩化ビニリデン、ポリカーボネート、ポリイミド、ポリアミド等のプラスチックフィルム、紙、紙にポリエチレン、ポリプロピレン、エチレンブテン共重合体等の炭素数が２〜１０のα−ポリオレフイン類を塗布若しくはラミネートした紙、アルミニウム、銅、錫等の金属箔等、又は、帯状基材の表面に予備的な加工層を形成させたものが挙げられる。
【００３０】
ウエブの搬送速度は、生産性、及び、塗布端部の直線性の観点から、５０ｍ／分〜５００ｍ／分であることが好ましく、１００ｍ／分〜５００ｍ／分であることがより好ましく、１５０ｍ／分〜４００ｍ／分であることが更に好ましく、２００ｍ／分〜３００ｍ／分であることが特に好ましい。
また、ウエブの搬送速度は、生産性の観点から、１００ｍ／分以上であることが好ましく、２００ｍ／分以上であることがより好ましい。
【００３１】
＜塗布液＞
本開示に係るバー塗布方法は、連続走行するウエブと塗布液との接触部の直前に上記塗布液の液溜まりを形成し、回転する円柱状の塗工用バーにより上記液溜まりから掻き上げた塗布液を上記ウエブに塗布する工程を含む。
ウエブと塗布液との接触部は、上記バーの重力方向上側に設けられていることが好ましい。
本開示に係るバー塗布方法は、重力方向上側から順に、ウエブ、バーを備えた塗布手段により行うことが好ましい。
また、上記塗布液の液溜まりは、バーの回転方向の上流側に形成される。例えば、特開昭６０−２２５６６９号公報を参照することができる。
本開示に用いられる塗布液は、特に制限はなく、所望に応じて、適宜選択すればよい。
裏回り抑制の観点からは、粘度の比較的低い塗布液であることが好ましい。塗布液としては、例えば、水系塗布液、又は、溶剤系塗布液が好ましく挙げられる。
【００３２】
本開示に係るバー塗布方法における塗布温度は、特に制限はなく、使用する塗布液及びウエブや、所望の塗布厚などに応じて、適宜設定すればよい。
本開示に係るバー塗布方法は、上記工程以外のその他の公知の工程を含んでいてもよい。その他の工程としては、例えば、バー塗布した後、ウエブ上の塗布された塗布液を乾燥する工程、ウエブを巻き取りロールとする工程等が挙げられる。
【実施例】
【００３３】
以下、本発明の実施形態を実施例により更に具体的に説明するが、本開示はその主旨を越えない限り、以下の実施例に限定されるものではない。なお、特に断りのない限り、「部」は質量基準である。
【００３４】
（実施例１）
厚さ１００μｍ、幅（巾）１８０ｍｍのポリエチレンテレフタレート基材表面に、低密度ポリエチレンを約０．３μｍの厚さで溶融押出ラミネート加工した。溶融押出のチルロール表面はサンドブラストによりマット加工されており、チルロール表面形状が転写されたポリエチレン表面の算術平均粗さＲａは１．３μｍ、最大高さＲｙは１０μｍであった。この支持体に下記組成の塗布液をパー塗布装置により塗布した。
バインダー（（株）三井化学製ボンロンＳ２２４、スチレンアクリル系樹脂）：０．５質量部
界面活性剤（日光ケミカルズ（株）製ＯＴＰ−７５、スルホコハク酸ジエチルヘキシルナトリウム）：０．０８質量部
マット剤（日産化学（株）製スノーテックスＸ３０、シリカ粒子）：１０．８質量部
溶媒（水）：８８．６２質量部
バーはステンレス製（ＳＵＳ３０４）で直径は１２．７ｍｍであり、バー表面には転造加工により深さ１０μｍ、ピッチ８０μｍの溝加工を施した。その後、溝加工部の幅が１６０ｍｍとなるようにバー両端の表面を研磨加工し、溝加工部以外の表面は平坦にした。
高密度ポリエチレン性のブレードを上記バーの平坦部に押し当て、溝加工部以外の表面の塗布液を掻き落とした。
基材の走行速度は３００ｍ／分であり、バーは基材搬送方向と同一の方向に、バー表面の速度が３０ｍ／分となるように回転させた（バー周速／ウエブ搬送速度＝０．１）。
裏回りの評価方法は、基材の塗布面と反対側の面に塗布液が回っているかどうかを評価した。また、塗布端部の直線性も評価した。
【００３５】
（実施例２）
実施例１において、溝加工部１６０ｍｍの外側の溝深さが１０μｍから漸減し、幅１０ｍｍでフラットになるようにバーを転造加工した。
ブレード表面とバー軸の角度が０．０１°であること以外は、実施例１と同様な方法で、バー塗布を行い、評価を行った。
【００３６】
（実施例３）
実施例１において、バーは基材搬送方向と同一の方向に、バー表面の速度が９０ｍ／分となるように回転させた（バー周速／ウエブ搬送速度＝０．３）以外は、実施例１と同様な方法で、バー塗布を行い、評価を行った。
【００３７】
（比較例１）
溝形状がバー両端の耳部まで均一であること以外は、実施例１と同様な方法で、バー塗布を行い、評価を行った。
【００３８】
評価結果をまとめて表１に示す。
【００３９】
【表１】
2018167197.tif 000003
【００４０】
表１に示すように、本開示に係るバー塗布方法は、表面に溝があるバーを使用しても、ウエブの裏側へ塗布液が付着することを抑制できる。
一方、比較例１のバー塗布方法では、ウエブの裏側へ塗布液が付着した。
【符号の説明】
【００４１】
１２：バー、１２ａ：バーの幅方向外側、１２ｂ：バーの幅方向内側、１４：ブレード、１６：塗布液
【図１】
2018167197.tif 000004
【図２】
2018167197.tif 000005
【図３】
2018167197.tif 000006